(57)【要約】    本発明は、複合機器（例えば、ビデオ監視カメラおよび／または無線通信基地および／またはレーダ等があるが、これらに限定されない）を街路設備、特に街灯設備に取り付ける方法に関する。本発明は、このような複合機器には恒久的に電力が供給されることがないこと、複合機器の電子回路は、再充電可能なエネルギー貯蔵システムを備える供給回路および街路設備の電力供給回路に接続された充電装置に接続されること、および複合機器は逆方向リンク形式で無線送信回路を備えることを特徴とする。
2008516375.tif 000002
【特許請求の範囲】
【請求項１】
複合機器（例えば、ビデオ監視カメラおよび／または無線通信基地および／またはレーダ等があるが、これらに限定されない）を街路設備、特に都市の照明設備に取り付ける方法であって、該街路設備には恒久的に電力が供給されることがないことと、該複合機器の電子回路は、再充電可能なエネルギー貯蔵システムを備える供給回路および該街路設備の電力供給回路にリンクされた充電装置に接続されることと、該複合機器は、逆方向リンク形式で無線送信回路を備えることとを特徴とする方法。
【請求項２】
前記複合機器は前記街路設備のポールに取り付けられることと、該ポールに穴部が形成されることにより、該複合機器の供給回路を都市の照明供給回路に接続する電線を通過させることとを特徴とする請求項１に記載の複合機器を都市の照明設備に取り付ける方法。
【請求項３】
前記複合機器は情報を得ることと、該複合機器により得られた情報は、２ＧＨｚから１１ＧＨｚの無線周波数帯において動作する無線送信カードにより送信されることとを特徴とする請求項１または２に記載の複合機器を都市の照明設備に取り付ける方法。
【請求項４】
前記複合機器により得た情報は、３．４から３．８ＧＨｚ（ＷｉＭＡＸ）の無線周波数帯において動作する無線送信カードにより送信されることを特徴とする請求項３に記載の複合機器を都市の照明設備に取り付ける方法。
【請求項５】
前記複合機器は無線通信基地を備えることと、該無線通信基地はＷｉＭＡＸ（ＩＥＥＥ  ８０２．１６）対応であることとを特徴とする請求項１から４のいずれか一項に記載の複合機器を都市の照明設備に取り付ける方法。
【請求項６】
前記複合機器はビデオ監視カメラを備えることとを特徴とする請求項１から５のいずれか一項に記載の複合機器を都市の照明設備に取り付ける方法。
【請求項７】
前記複合機器はレーダを備えることとを特徴とする請求項１から６のいずれか一項に記載の複合機器を都市の照明設備に取り付ける方法。
【請求項８】
複合機器を備える街路設備であって、該複合機器は、該街路設備の非恒久的な電源に接続されることにより、かつ、該街路設備の非恒久的な電源に接続された充電装置で再充電可能なエネルギー貯蔵システムにより電力が供給されることを特徴とする街路設備。
【発明の詳細な説明】
【技術分野】
【０００１】
本発明は、レーダ、ビデオによる監視および無線通信の分野に関し、特に、都市部におけるレーダ、ビデオ監視カメラおよび無線通信基地ネットワークの設置ならびに運用の分野に関する。
【背景技術】
【０００２】
このような設備の原理は、例えば、特許文献１からも周知であり、同文献には、ＴＣＰ／ＩＰネットワークプロトコルを使用するビデオデータのマイクロ波伝送を用いる遠隔地の無線ビデオ監視システムおよびその方法について開示されている。このシステムは、１つまたは複数のアナログカメラ、およびツイスト・ペア・ケーブルにより接続されたイーサネット（Ｅｔｈｅｒｎｅｔ）送信機／受信機を使用するマイクロ波送信機／受信機に接続されたビデオエンコーダ／デコーダを備える遠隔ユニットを有する。マイクロ波伝送は、他のマイクロ波送信機／受信機およびコンピュータに接続されたイーサネット送信機／受信機を備えるベースユニットにより受信される。ビデオデータをネットワークの複数のコンピュータ端末へ送信するために、ベースユニットコンピュータは、１つまたは複数のコンピュータネットワークに接続される。
【０００３】
Ｗｉ−ＦｉやＷｉＭＡＸ等の標準規格の開発により、都市部におけるこのような監視設備や無線通信基地が進歩してきた。ＲＦリソースを備えたカメラ等の機器を市場に出している製造企業もあり、例えば、ＰＡＮＡＳＯＮＩＣ（登録商標）において市販されているＤＣＳ−１０００ＷやＤＣＳ−２１００製品があり、これらはＩＥＥＥ  ８０２．１１ｂおよび８０２．３／３ｕイーサネットプロトコルを使用している。
【０００４】
このような機器は、夜間照明を行っている地域からの恩恵を得るために、公共の街灯に取り付けられることが多い。これらの機器はまた、特許文献２および３に提案されているような照明器具の頭部に取り付け可能である。
【０００５】
しかしながら、複合機器（例えば、ビデオ監視カメラおよび／または無線通信基地および／またはレーダ等があるが、これらに限定されない）を電気的に接続するという問題がある。このような機器は、日中および夜間を問わず電力を必要とする。そのために、最先端の技術により、都市の照明用電源とは別に特定の配線が用意され、そのような配線は、公共の照明の電源を自動的に入れたり切ったりすることを制御するための時間や環境条件を考慮して自動化したプログラムで制御される。
【特許文献１】国際公開第ＷＯ０３／７３７６４号パンフレット
【特許文献２】特開２００４−４７３８８号公報
【特許文献３】特開平８−２７３４１０号公報
【発明の開示】
【発明が解決しようとする課題】
【０００６】
本発明は、特定の配線の使用を回避することにより、このような複合機器における改善を目的とする。
【課題を解決するための手段】
【０００７】
このために、本発明は、複合機器（例えば、ビデオ監視カメラおよび／または無線通信基地および／またはレーダ等があるが、これらに限定されない）を街路設備、特に都市の照明設備に取り付ける方法に関し、街路設備には恒久的に電力が供給されることがないことと、複合機器の電子回路は、再充電可能なエネルギー貯蔵システムおよび街路設備の電力供給回路を備える供給回路に接続されることと、複合機器は、逆方向リンク形式で無線送信回路を備えることとを特徴とする。
【０００８】
このような複合機器は、固定された支持リンクにより街路設備のポールに有効に取り付けられ、ポールに穴部が形成されることにより、複合機器の供給回路を都市の照明供給回路に接続する電線を通すことが可能である。
【０００９】
複合機器により得られた情報は、２ＧＨｚから１１ＧＨｚの無線周波数帯において動作する無線送信カードにより正常に送信される。
特に好適な実施例において、複合機器により得られた情報は、３．４ＧＨｚから３．８ＧＨｚ（ＷｉＭＡＸ）の無線周波数帯において動作する無線送信カードにより正常に送信される。
【００１０】
本発明の特定の実施例において、複合機器の無線通信基地は、Ｗｉ−Ｆｉ（ＩＥＥＥ  ８０２．１１）対応である。
本発明の特定の実施例において、複合機器の無線通信基地は、ＷｉＭＡＸ（ＩＥＥＥ  ８０２．１６）対応である。
【００１１】
変更例においては、複合機器はビデオ監視カメラを備える。
他の変更例においては、複合機器はレーダを備える。
本発明はまた、複合機器を備える街路設備に関し、この複合機器は、街路設備の非恒久的な電源に接続されることにより、かつ街路設備の非恒久的な電源に接続された充電装置で再充電可能なエネルギー貯蔵システムにより電力が供給される。
【発明を実施するための最良の形態】
【００１２】
本発明は、単一の図面に説明される実施例に限定されることなく記載された以下の詳細な説明からより正しく理解される。
この図面は、ポール１を備える都市部の照明設備として使用される街灯を示しており、複合機器のケーシング２（例えば、ビデオ監視カメラおよび／または無線通信基地および／またはレーダ等があるが、これらに限定されない）は、支持部３により取り付けられている。
【００１３】
本発明の第１の実施例において、複合機器のケーシング２は特に、電子回路に接続されたデジタルカメラを備えており、この電子回路は、例えば、圧縮や事前分析により、任意でデジタル信号の前処理を行うことが可能であり、その出力信号を無線中継回線により遠隔ステーションへ送信する。送信は、例えば、国際標準化機関ＩＥＥＥにより標準化され、ＷｉＭＡＸフォーラムコンソーシアムにより開発された、８０２．１６無線送信標準規格に従っている。
【００１４】
本発明の他の実施例において、複合機器のケーシング２は特に、例えば、Ｗｉ−Ｆｉ基地（ＩＥＥＥ  ８０２．１１）等の無線通信基地を備えており、その入力および出力信号は、ＷｉＭＡＸリンク（ＩＥＥＥ  ８０２．１６）等の無線中継逆方向リンクにより遠隔ステーションへ送信される。
【００１５】
本発明の別の実施例において、複合機器のケーシング２は特にレーダを備える。
複合機器のケーシング２（例えば、ビデオ監視カメラおよび／または無線通信基地および／またはレーダ等があるが、これらに限定されない）の電気および電子回路は、充電装置により定期的に再充電されるエネルギー貯蔵システムにより電力を供給される。この充電装置は、複合機器のケーシング２が取り付けられる街路設備の非恒久的な電源に接続される。電子回路は、主電源の状態により主電源が切られているかどうかを検知し、エネルギー貯蔵システムからの供給とエネルギー貯蔵システムの充電との間においてケーシング２回路の電源を切り換える。
【図面の簡単な説明】
【００１６】
【図１】ポールを備える都市部の照明設備として使用される街灯を示す図であって、複合機器のケーシングが支持部により取り付けられている。
【図１】
2008516375.tif 000003
【国際調査報告】
2008516375.tif 000004
2008516375.tif 000005
2008516375.tif 000006
2008516375.tif 000007
2008516375.tif 000008
2008516375.tif 000009